(57)【要約】      （修正有）【課題】既存の部品を利用して構成することで部品点数が少なく、低コストで信頼性の高いディスク位置決め機構を有するディスク再生装置にする。【解決手段】回転ローラと一対のディスク検知レバー２を搭載したディスクガイド１をメインシャーシ５に回動可能に取り付けて常時は小径ディスクの搬送角度を決める第１の傾斜状態に保ち、外力が加えられた場合には大径ディスクの搬送角度を決める第２の傾斜状態に変化するようにしておき、ディスク検知レバーに、ディスク検知ピンより小さい回動径を持つ突起部２ｂを設け、トップシャーシ６に、常時および小径ディスクを検知した場合の突起部を位置させる空間部と大径ディスクを検知した場合の突起部を当接させて押し下げる傾斜部を設け、突起部が傾斜部で押し下げられた場合にディスクガイドを押圧回動させて第２の傾斜状態に変化させる。【選択図】図４
2009032367.tif 000002
【特許請求の範囲】
【請求項１】
メインシャーシと、
ディスクを出し入れする開口部側に配置され、支持部材により前記メインシャーシに回動可能に支持され、常時は小径ディスクの搬送角度を決める第１の傾斜状態に保たれ、前記支持部材より後方の位置に所定外力が加えられた場合には回動して大径ディスクの搬送角度を決める第２の傾斜状態に変化するディスクガイドと、
前記ディスクガイドの下面側に配置されて前記ディスクガイドに回転可能に支持され、前記ディスクガイドとの間に挟んだディスクを第１の傾斜状態または第２の状態にして搬送する回転ローラと、
それぞれが前記ディスクガイドの上面側に配置されて前記ディスクガイドに回動可能に支持され、挿入されたディスクの外縁に当接して回動するディスク検知ピンに加え、前記ディスク検知ピンの回動に伴って回動する突起部を有する一対のディスク検知レバーと、
常時および小径ディスクを検知した場合の前記突起部を位置させる空間部と大径ディスクを検知した場合の前記突起部を当接させて押し下げる傾斜部とを有し、押し下げた前記突起部を介して第２の傾斜状態に変化させるよう前記ディスクガイドを押圧回動させるトップシャーシを備えたことを特徴とするディスク再生装置。
【請求項２】
第１の傾斜状態で搬送されてきた小径ディスクが当接するようにディスクの到来側に配置された小径ディスク用検知ピンと第２の傾斜状態で搬送されてきた大径ディスクが前記小径ディスク用検知ピンを避けて当接するように前記小径ディスク用検知ピンより丈が長く、かつ後方に配置された大径ディスク用検知ピンを有し、いずれかの検知ピンに当接したディスクの位置決め位置を検知するトリガーを備えたことを特徴とする請求項１記載のディスク再生装置。
【発明の詳細な説明】
【技術分野】
【０００１】
この発明は、スロットイン方式のディスク再生装置に関し、特に径の異なるディスクをターンテーブル上に位置決めするディスク位置決め装置に関するものである。
【背景技術】
【０００２】
近年、ＣＤやＤＶＤなどの光ディスク（以下、ディスクと呼ぶ）を演奏する車載用のディスク再生装置では、狭い車内を有効にするためにディスクを出し入れするトレイを持たず、ディスクを直接スリット状の開口部に挿入するスロットイン方式が採用されている。この方式では、スリット状の開口部から挿入されたディスクのローディング開始位置を検出して回転ローラを回転させ、ディスクガイドと回転ローラによりディスクを挟んで再生位置まで運びターンテーブル上にセットするローディング動作と、ターンテーブル上のディスクを外して逆転する上記回転ローラにより運び、ディスクが取り出し可能となるイジェクト完了位置を検出して回転ローラを停止させるイジェクト動作を行う。ところで、ＣＤやＤＶＤなどのディスクには、径が１２ｃｍのディスク（以下、大径ディスクと呼ぶ）と径が８ｃｍのディスク（以下、小径ディスクと呼ぶ）の２種類の径のディスクがある。そのため、ディスク再生装置としては、大径ディスクと小径ディスクのいずれにも対応できるようにディスク径を自動的に判別してターンテーブル上に位置決めするディスク位置決め機構を備えている。従来用いられているディスク位置決め機構としては、小径ディスク位置決めストッパ、大径ディスク位置決め時にこの小径ディスク位置決めストッパを待避させる機構およびこれらの部材を初期状態へ復帰させる機構を備えているのが一般的である。しかし、このような従来のディスク位置決め機構は部品点数が多くなり、小型・簡略化設計を困難にする上、製造上コスト高となっていた。また、互いに接触して可動する部品の点数が多くなると、様々な故障発生の可能性が増えるため信頼性の点でも問題となっていた。
【０００３】
また、挿入されたディスクを案内するとともに、小径ディスクが通過した時にのみ揺動する第１ディスクガイドと、第１ディスクガイドに対向して揺動可能に配置され、挿入されたディスクを回転ローラと第１ディスクガイドとに押し付けるばねを備えた第２ディスクガイドと、第１および第２ディスクガイドの揺動によるディスクの角度変化に応じた２つの芯出し位置を有する第３ディスクガイドと、ディスクが芯出しされたことを検出してディスククランプ動作に移行する手段を備え、簡単な機構で位置決め精度を良くするようにしたディスク位置決め機構が提案されている（例えば特許文献１参照）。
【０００４】
【特許文献１】特開平１０−１１２１０２号公報
【発明の開示】
【発明が解決しようとする課題】
【０００５】
しかしながら、上記特許文献１に記載のディスク位置決め機構においても３種類のディスクガイドを設けなければならず、小型のディスク再生装置の場合、部品点数が多いと既存の部品との関係で設置スペースに限界があり、また、コスト高の要因となる。そのため、部品点数を少なくし、低コストで信頼性の高い構造のディスク位置決め機構が望まれる。
【０００６】
この発明は、上記問題点を解決するためになされたもので、部品点数が少なく、低コストで信頼性の高いディスク位置決め機構を持つディスク再生装置を得ることを目的とする。
【課題を解決するための手段】
【０００７】
この発明に係るディスク位置決め装置は、ディスクガイドに対して、下面に回転ローラを、上面に一対のディスク検知レバーを搭載し、このディスクガイドをメインシャーシに回動可能に取り付けて、常時は小径ディスクの搬送角度を決める第１の傾斜状態に保ち、一方、所定外力が加えられた場合には大径ディスクの搬送角度を決める第２の傾斜状態に変化するようにしておき、一対のディスク検知レバーのそれぞれに、ディスク検知ピンより小さい回動径を持つ突起部を設け、トップシャーシに、常時および小径ディスクを検知した場合の突起部を位置させる空間部と大径ディスクを検知した場合の突起部を当接させて押し下げる傾斜部とを設け、突起部が傾斜部で押し下げられた場合にディスクガイドを押圧回動させて第２の傾斜状態に変化させるようにしたものである。
【発明の効果】
【０００８】
この発明によれば、挿入されたディスクに対するディスク検知レバーを利用し、ディスク検知レバーの回動量が大きい場合と小さい場合でディスクガイドの傾きを制御することにより、ディスクの搬送角度を変化させて小径ディスクと大径ディスクの位置決めを行えるようにしたので、既存の部品を用いて簡単な構成にしたため、部品点数を削減でき、低コストで、信頼性の高いディスク位置決め装置を実現する。
【発明を実施するための最良の形態】
【０００９】
実施の形態１．
図１は、この発明の実施の形態１によるディスク再生装置に係る構成を示す分解斜視図、図２は同ディスク再生装置の構成の一部を示す側面図である。ここでは、発明を理解しやすくするために、発明に関係する構成部分を主体に示し、その他の構成については省略して示しているものとする。
図におけるディスク再生装置は、主な部品として、メインシャーシに相当する再生部５、ディスクガイド１、ディスク検知レバー２、トップシャーシ６、回転ローラ３、トリガー７を備えている。ディスクガイド１は、図２に示すように、ディスク再生装置のディスク４０を出し入れする開口部５ｂ側に配置される。ディスクガイド１の対向する左右の側縁部には、直立な支持部材１ａが設けられている。各支持部材１ａの下端に設けた取付け穴１ｂに再生部５の左右に設けられたディスクガイド支持軸５ａを挿入することで、ディスクガイド１は再生部５に対して回動可能に支持される。ディスクガイド１は常時は矢印Ｂ方向と反対方向（図２の反時計方向）にバネ（図示せず）によって付勢されて水平（これを、小径ディスクの搬送角度を決める第１の傾斜状態とする）に保たれている。また、支持部材１ａより後方の位置に押し下げる力が働いた場合には、矢印Ｂ方向に回動して所定の傾斜角度（これを、大径ディスクの搬送角度を決める第２の傾斜状態とする）になる。
【００１０】
ディスクガイド１の各支持部材１ａの付け根側には長穴状の軸受部１ｃが設けられており、この軸受部１ｃにはディスクガイド１の裏面に常に圧接するようにバネ（図示せず）で付勢された回転ローラ３が回転可能に取り付けられている。回転ローラ３は、ローディング時およびイジェクト時に回転し、ディスクガイド１との間に挟んだディスク４０を第１の傾斜状態または第２の状態にして搬送する。
【００１１】
ディスクガイド１の上面には、軸２ｃを中心としてディスクガイド１と平行に回動する一対のディスク検知レバー２が設けられている。これらのディスク検知レバー２は、開口部５ｂ側にディスク検知ピン２ａを有し、互いのディスク検知ピン２ａが近接する方向にバネ（図示せず）により付勢されている。ディスク検知ピン２ａは、挿入されたディスク４０が装置内に搬送される場合、ディスク４０の外縁に当接し、支持部材１ａの位置より後方にある軸２ｃを支点としてディスクガイド１の外側に向かって矢印Ａ方向に回動する。したがって、相手側ピンと近接・離隔するように動く。ディスク検知レバー２は、回動により所定の位置に設置された検知スイッチなどを切り替えてディスク４０の挿入状態を検知するもので、そのメカニズムは周知のものである。この発明のディスク検知レバー２の場合は、支持部材１ａの位置より後方、すなわち図１の軸２ｃの回りの位置に、トップシャーシ６側へ突出する突起部２ｂがそれぞれ設けられている。したがって、突起部２ｂは、ディスク検知ピン２ａとは回動径が小さく、かつディスク検知ピン２ａの回動量に応じて回動し、相手側ピンと近接・離隔するように動く。
【００１２】
ディスクガイド１の上部にはトップシャーシ６が配置される。トップシャーシ６の面には、ディスク検知レバー２の突起部２ｂの回動範囲に対応して切り欠いた開口（空間部）６ｂと切り起した傾斜部６ａが設けられている。開口６ｂには、常時および小径ディスクを検知した場合の突起部２ｂを位置させる。すなわち、搬送されて来たディスク４０が小径ディスクの場合にはディスク検知ピン２ａの回動量が小さいため、突起部２ｂの回動量も小さく、突起部２ｂは開口６ｂ内から移動せず傾斜部６ａには当接することはない。一方、傾斜部６ａは、大径ディスクを検知した場合の突起部２ｂを当接させ、突起部２ｂを押し下げる力を与える。すなわち、搬送されて来たディスク４０が大径ディスクの場合にはディスク検知ピン２ａの回動量が大きいため、突起部２ｂの回動量も大きく、開口６ｂ内に位置していた突起部２ｂは傾斜部６ａに当接する。
【００１３】
トップシャーシ６の奥部の下面には、軸７ｃによりトリガー７が取り付けられている。トリガー７は、小径ディスク用検知ピン７ａと大径ディスク用検知ピン７ｂを有する。小径ディスク用検知ピン７ａは、第１の傾斜状態で搬送されてきた小径ディスクが当接するようにディスクの到来側に配置されている。一方、大径ディスク用検知ピン７ｂは、第２の傾斜状態で搬送されてきた大径ディスクが小径ディスク用検知ピン７ａを避けて当接するように小径ディスク用検知ピン７ａより丈が長く、かつ後方に配置されている。このトリガー７は、検知ピン７ａ，７ｂのいずれかに当接したディスク４０の位置決め位置を検知し、ターンテーブル上にクランプする機構（図示せず）を動作させる。
【００１４】
次に、上記ディスク装置における大小ディスクのローディング動作について説明する。大径ディスクの搬送動作を図３および図４に示す。なお、図３は平面透視図であるが、説明を分かりにくくする部分は省略しているものとする。
開口部５ｂより大径ディスク４０ａが挿入されると、ディスク検知ピン２ａに当接し、ディスク検知ピン２ａにはディスクの外周縁に沿って広げられる力が働き、ディスク検知レバー２が回動する。このとき、ディスク検知レバー２の回動をスイッチなど（図示せず）により検知して回転ローラ３が回転し、大径ディスク４０ａはディスクガイド１と回転ローラ３に挟まれてＸ方向に搬送される。大径ディスク４０ａの場合、図３に示すように、ディスク検知ピン２ａ間の距離は小径ディスクの場合より大きくなり、ディスク検知レバー２の突起部２ｂの回動量も大きい。そのため、開口６ｂ内に位置していた突起部２ｂは移動してトップシャーシ６の傾斜部６ａに当接し、傾斜部６ａによって大径ディスク４０ａの方向へ押し下げられる。その結果、図４に示すように、ディスクガイド１がディスクガイド支持軸５ａを中心として矢印Ｂ方向へ回動して傾き、大径ディスク４０ａの搬送角度が右下がりとなる第２の傾斜状態となる。大径ディスク４０ａは、図４のように第２の傾斜状態で搬送が進むため、トリガー７の小径ディスク用検知ピン７ａの下をすり抜けて大径ディスク用検知ピン７ｂに当接する。これにより、トリガー７は大径ディスク４０ａの位置決め位置を検知し、クランプ機構を操作して大径ディスク４０ａをターンテーブル上に装着させる。
【００１５】
小径ディスクの搬送動作を図５および図６に示す。なお、図５は平面透視図であるが、図３と同様、説明を分かりにくくする部分は省略しているものとする。
開口部５ｂより小径ディスク４０ｂが挿入されると、ディスク検知ピン２ａに当接し、ディスク検知ピン２ａをディスクの外周縁に沿って広げる力が働き、ディスク検知レバー２が回動する。このとき、ディスク検知レバー２の回動をスイッチや光センサ（図示せず）により検知して回転ローラ３が回転し、小径ディスク４０ｂはディスクガイド１と回転ローラ３に挟まれてＸ方向に搬送される。しかし、小径ディスク４０ｂの場合、ディスク検知ピン２ａ間の距離は大径ディスク比べ小さいため、ディスク検知レバー２の突起部２ｂの回動量も小さい。そのため、開口６ｂ内に位置していた突起部２ｂは移動してもトップシャーシ６の傾斜部６ａには当接することはない。したがって、ディスクガイド１はディスクガイド支持軸５ａを中心として矢印Ｂ方向へは回動せず水平な第１の傾斜状態に保たれている。小径ディスク４０ｂは、図６のように第１の傾斜状態のままで進むため、小径ディスク用検知ピン７ａに当接する。これにより、トリガー７は小径ディスク４０ｂの位置決め位置を検知し、クランプ機構を操作して小径ディスク４０ｂをターンテーブル上に装着させる。
【００１６】
以上のように、この実施の形態１によれば、回転ローラ３と一対のディスク検知レバー２を搭載したディスクガイド１をメインシャーシ５に回動可能に取り付け、常時は小径ディスク３０ｂの搬送角度を決める第１の傾斜状態に保ち、外力が加えられた場合には大径ディスク３０ａの搬送角度を決める第２の傾斜状態に変化するようにしておき、ディスク検知レバー２に、ディスク検知ピン２ａより小さい回動径を持つ突起部２ｂを設け、トップシャーシ６に、常時および小径ディスク３０ｂを検知した場合の突起部２ｂを位置させる空間部６ｂと大径ディスク４０ａを検知した場合の突起部２ｂを当接させて押し下げる傾斜部６ａとを設け、突起部２ｂが傾斜部６ａで押し下げられた場合にディスクガイド１を押圧回動させて第２の傾斜状態に変化させるようにしている。したがって、既存の部品を用いて簡単な構成にしたため、従来のものに比べて部品点数を削減でき、低コストで、信頼性の高いディスク位置決め機構を有するディスク再生装置を実現することができる。
【図面の簡単な説明】
【００１７】
【図１】この発明の実施の形態１によるディスク再生装置の構成の一部を示す分解斜視図である。
【図２】図１のディスク再生装置の右側面図である。
【図３】同実施の形態１に係るディスク再生装置の大径ディスクの搬送動作を示す平面透視図である。
【図４】図３のディスク再生装置の右側面図である。
【図５】同実施の形態１に係るディスク再生装置の小径ディスクの搬送動作を示す平面透視図である。
【図６】図５のディスク再生装置の右側面図である。
【符号の説明】
【００１８】
１  ディスクガイド、１ａ  支持部材、１ｂ  取付け穴、１ｃ  軸受部、２  ディスク検知レバー、２ａ  ディスク検知ピン、２ｂ  突起部、３  回転ローラ、３ａ  ローラ軸、５  再生部、５ａ  ディスクガイド支持軸、５ｂ  開口部、６  トップシャーシ、６ａ  傾斜部、６ｂ  開口、７  トリガー、７ａ  小径ディスク用検知ピン、７ｂ  大径ディスク用検知ピン、４０  ディスク、４０ａ  大径ディスク、４０ｂ  小径ディスク。
【図１】
2009032367.tif 000003
【図２】
2009032367.tif 000004
【図３】
2009032367.tif 000005
【図４】
2009032367.tif 000006
【図５】
2009032367.tif 000007
【図６】
2009032367.tif 000008